(57)【特許請求の範囲】
【請求項１】
アダプタをアダプタ取付パネルの取付孔に取り付けるアダプタ取付構造にあって、アダプタ本体を前記取付孔に挿通したうえ該アダプタ本体の周縁に張設した取付鍔部を前記取付孔の孔縁に当接して、該取付鍔部を前記取付孔と前記アダプタ本体との間に形成された間隙に嵌脱自在とした係止具に設けた支腕部と取付パネルとの間に挟持するアダプタ取付構造において、前記係止具を、アダプタ本体を囲装する四角形状の枠状本体と該枠状本体の上下板部の外面に張設した上下の支腕部とにより形成して、前記上下の支腕部の両側先端に前記取付孔に介入して前記取付孔の内面に当接する当接部を形成し、さらに、前記係止具の前記間隙に嵌脱自在とする手段を前記枠状本体に設けた爪部を前記取付孔の孔縁に係止したものとしたことを特徴とするアダプタ取付構造。
【請求項２】
枠状本体に挿入方向に沿って該挿入方向の先端から複数のスリットを形成した請求項１に記載のアダプタ取付構造。
【発明の詳細な説明】
【技術分野】
【０００１】
本発明は、光ファイバコードのコネクタを接続するためのアダプタをアダプタ取付パネルの取付孔に取り付けるアダプタ取付構造に関するものである。
【背景技術】
【０００２】
従来のアダプタとしては、アダプタ本体の周縁に鍔状の固定片を設けて、アダプタ取付パネルの取付孔にアダプタ本体を挿入したうえ前記固定片を取付孔の周縁部前面に当接したうえネジ止めして取り付けるものが知られている（例えば、特許文献１参照）。ところが、これは構造が簡単で製造コストが低い利点があるが取付作業に時間が係り、現場での増設・変更作業が厄介であるという問題がある。
【０００３】
そこで、前記のようなアダプタであっても、ネジ止めすることなくワンタッチによりアダプタ取付パネルの取付孔に取り付けできるアダプタの取付構造が待望されていた。
【特許文献１】特開２０００−２４１６９１公報（図２、図５）
【発明の開示】
【発明が解決しようとする課題】
【０００４】
本発明は前記のような待望に応えて開発されたもので、アダプタをネジ止めすることなくワンタッチによりアダプタ取付パネルの取付孔に取り付けできるアダプタの取付構造を提供する。
【課題を解決するための手段】
【０００５】
本発明のアダプタの取付構造は、アダプタをアダプタ取付パネルの取付孔に取り付けるアダプタ取付構造にあって、アダプタ本体を前記取付孔に挿通したうえ該アダプタ本体の周縁に張設した取付鍔部を前記取付孔の孔縁に当接して、該取付鍔部を前記取付孔と前記アダプタ本体との間に形成された間隙に嵌脱自在とした係止具に設けた支腕部と取付パネルとの間に挟持するものである。
【０００６】
そして、前記係止具を、アダプタ本体を囲装する四角形状の枠状本体と該枠状本体の上下板部の外面に張設した上下の支腕部とにより形成して、前記上下の支腕部の両側先端に前記取付孔に介入して前記取付孔の内面に当接する当接部を形成し、さらに、前記係止具の前記間隙に嵌脱自在とする手段を前記枠状本体に設けた爪部を前記取付孔の孔縁に係止したものとしたものである。また、枠状本体に挿入方向に沿って該挿入方向の先端から複数のスリットを形成したものとすることがより好ましいものである。
【発明の効果】
【０００７】
前記した本発明のアダプタの取付構造は、アダプタ本体を取付孔に挿通したうえ該アダプタ本体の周縁に張設した取付鍔部を取付孔の孔縁に当接して、該取付鍔部を前記取付孔とアダプタ本体との間に形成された間隙に嵌脱自在とした係止具に設けた支腕部と取付パネルとの間に挟持したものであるので、アダプタは止めネジを使用することなく係止具により取り付けできるものである。また、アダプタを取付孔から取り外す場合には、係止具を外すことにより容易に行うことができるものである。
【０００８】
また、係止具を、アダプタ本体を囲装する枠状本体と該枠状本体に張設した支腕部とにより形成して、前記枠状本体の挿入方向の先端には取付孔の孔縁に係止する爪部を設けものとすれば、アダプタに係止具を装着して取付孔にアダプタ本体を挿入すれば、アダプタ本体を囲装している枠状本体の挿入方向の先端に設けた爪部が枠状本体を内側に撓むことにより取付孔の孔縁に係止して係止具が取付孔とアダプタ本体との間に形成される間隙に嵌合した状態で、枠状本体に張設けた支腕部がアダプタ本体の周縁に張設した取付鍔部を取付パネルに押圧して、取付鍔部は支腕部と取付パネルとの間に挟持されることとなる。これにより、アダプタは係止具によりワンタッチで取付孔に取り付けできるものである。
【０００９】
この場合に係止具は、枠状本体に張設けた支腕部が取付孔の挿入方向への移動を規制されるとともに、爪部により挿入方向とは逆方向の移動を規制されるので、アダプタを取付孔から抜け出ることなく的確に取り付けることとなる。なお、アダプタを取付孔から取り外すには枠状本体を内側に撓ませて爪部の取付孔の孔縁の係止を解いて係止具を引き抜くことにより容易に行うことができるものである。
【００１０】
また、枠状本体に挿入方向に沿って該挿入方向の先端から複数のスリットを形成すると、枠状本体は挿入方向の先端側において分割されて撓み易くなるので、先端に設けた爪部が取付孔の孔縁への係脱が容易となり、取付孔への装着及び取外し作業が容易となる。
【発明を実施するための最良の形態】
【００１１】
次に、本発明の好ましい実施の形態を図に基づき説明する。
図１は余長収納トレイ等を搭載した光ファイバユニットを示すものであり、該光ファイバユニットの前面には余長収納トレイ等から引き出した光ファイバコードのコネクタと外部の光ファイバコードのコネクタを接続するアダプタ１を取り付ける取付孔２を多数設けた取付パネル３が設けてある。４は前記アダプタ１を取付孔２に取付ける係止具である。
【００１２】
前記アダプタ１は、外形を四角状としたアダプタ本体１１の周縁すなわち上下板部１１ａ、１１ａの外面の前後中央に対称となるように取付鍔部１２、１２を張設している。このアダプタ１は取付鍔部１２、１２の前後側の一方側にあるアダプタ本体１１を取付孔２に挿入したうえ取付鍔部１２、１２を取付孔２の孔縁に当接して、該取付鍔部１２を前記取付孔２とアダプタ本体１１との間に形成された間隙に嵌脱自在とした係止具４に設けた支腕部４１と取付パネル３との間に挟持して取付孔２に取り付けるものである。なお、図示のアダプタ１は従来の取付鍔部１２、１２に設けたネジ挿通孔１２ａを利用して単体で取付パネル３の取付孔２にネジ止めして取り付けできるものをそのまま使用できる。
【００１３】
前記係止具４は図１−図７に示すものは、アダプタ本体１１を囲装する枠状本体４０と該枠状本体４０の上下板部４０ａ、４０ａの外面に張設した上下の支腕部４１、４１とにより形成して、前記枠状本体４０の側板部４０ｂ、４０ｂの挿入方向の先端には取付孔２の孔縁２１に係止する爪部４２を設けている。また、枠状本体４０の側板部４０ｂ、４０ｂに挿入方向に沿って複数のスリット４０ｃを挿入方向の先端から形成して側板部４０ｂの先端側を分割して撓み易く形成して爪部４２を幅狭爪部４２ａ、４２ｂ、４２ｃに分割して取付孔２の孔縁２１への係脱を容易となるものとしている。さらに、前記上下の支腕部４１、４１の両側先端に前記取付孔２に介入して前記取付孔２の内面に当接する当接部４３を形成している。
【００１４】
このような係止具４をアダプタ１に装着して取付孔２にアダプタ本体１１を挿入すれば、アダプタ本体１１を囲装している枠状本体４０の側板部４０ｂ、４０ｂの挿入方向の先端に設けた爪部４２が取付孔２の孔縁に当接すると側板部４０ｂが内側に撓んで爪部４２が取付孔２を通過した後に撓みが解除されるとともに爪部４２が孔縁に係止して、枠状本体４０に張設けた支腕部４１がアダプタ本体１１の周縁に張設した取付鍔部１２を取付パネル３に押圧して、取付鍔部１２を支腕部４１と取付パネル３との間に挟持することとなる。これにより、アダプタ１は係止具４によりワンタッチで取付孔２に抜け出ることなく取り付けできるものである。
【００１５】
なお、枠状本体４０の側板部４０ｂ、４０ｂが内側に撓むために、図６に示すように側板部４０ｂ、４０ｂの後側内面はアダプタ本体１１と接した構成としているが、アダプタ本体１１と枠状本体４０の側板部４０ｂ、４０ｂとの間に該側板部４０ｂ、４０ｂが撓むことのできる間隙（ｓ）を形成したものとしている。
【００１６】
また、係止具４は参考例として図８に示すものがある。これは、アダプタ本体１１の外郭の上下の一方を囲装する門形枠状本体４５の上板部４５ａの外面に張設した支腕部４１とより形成して、前記門形枠状本体４５の側板部４５ｂ、４５ｂの挿入方向の先端に取付孔２の孔縁２１に係止する爪部４２を設けたものである。
【００１７】
このような係止具４をアダプタ１に装着して取付孔２にアダプタ本体１１を挿入すれば、アダプタ本体１１の外郭の上下の一方を囲装している門形枠状本体４５の側板部４５ｂ、４５ｂの挿入方向の先端に設けた爪部４２が取付孔２の孔縁に当接すると側板部４５ｂが内側に撓んで爪部４２を取付孔２を通過した後に撓みが解除されるとともに爪部４２が孔縁に係止して、門形枠状本体４５の上板部４５ａに張設けた支腕部４１がアダプタ本体１１の周縁に張設した取付鍔部１２を取付パネル３に押圧して、取付鍔部１２を支腕部４１と取付パネル１２との間に挟持することとなる。これにより、アダプタ１は係止具４によりワンタッチで取付孔２に抜け出ることなく取り付けできるものである。
【００１８】
この場合に係止具４はアダプタ１のアダプタ本体１１の外郭の上下の一方を囲装して、一方の取付鍔部１２のみを支腕部４１と取付パネル１２との間に挟持するものであるが、通常状態では爪部４２が取付孔２の孔縁から離脱することがないので、アダプタ１は係止具４により取付孔２に抜け出ることなく取り付けできるものである。
【図面の簡単な説明】
【００１９】
【図１】本発明の実施形態を示す斜視図。
【図２】本発明の実施形態の要部を示す斜視図。
【図３】本発明の実施形態の要部を他方から示す斜視図。
【図４】本発明の実施形態の要部を分解して示す斜視図。
【図５】本発明の実施形態の要部を示す一部切欠側面図。
【図６】本発明の実施形態の要部を示す横断面図。
【図７】本発明の実施形態に使用する係止具とアダプタの１例を示す斜視図。
【図８】係止具とアダプタの参考例を示す斜視図。
【符号の説明】
【００２０】
１  アダプタ
11  アダプタ本体
12  取付鍔部
２  取付孔
３  取付パネル
４  係止具
40  枠状本体
40c  スリット
41  支腕部
42  爪部
【図１】
0005078083.tif 000002
【図２】
0005078083.tif 000003
【図３】
0005078083.tif 000004
【図４】
0005078083.tif 000005
【図５】
0005078083.tif 000006
【図６】
0005078083.tif 000007
【図７】
0005078083.tif 000008
【図８】
0005078083.tif 000009